(57)【要約】【課題】元の画像の上にグラフィクス画像を重畳して表示する場合に、各光源の発光輝度を適切な値に制御することのできる技術を提供する。【解決手段】本発明の表示装置は、個別に発光輝度を変更可能な複数の光源を有する発光手段と、発光手段からの光を変調することで画面上に画像を表示する表示手段と、複数の光源のそれぞれに対応する画面上の領域に表示すべき画像の明るさに応じて、各光源の発光輝度を制御する制御手段と、を有する表示装置において、元の画像の上にグラフィクス画像を重畳して表示する場合に、制御手段は、重畳されるグラフィクス画像の種類によって各光源の発光輝度を変える。【選択図】図１
2015031873.tif 000002
【特許請求の範囲】
【請求項１】
個別に発光輝度を変更可能な複数の光源を有する発光手段と、
前記発光手段からの光を変調することで画面上に画像を表示する表示手段と、
前記複数の光源のそれぞれに対応する画面上の領域に表示すべき画像の明るさに応じて、各光源の発光輝度を制御する制御手段と、
を有する表示装置において、
元の画像の上にグラフィクス画像を重畳して表示する場合に、
前記制御手段は、重畳されるグラフィクス画像の種類が第１の種類である場合には、グラフィクス画像が重畳される前の元の画像の明るさに応じた発光輝度となり、重畳されるグラフィクス画像の種類が第２の種類である場合には、元の画像にグラフィクス画像が合成された合成画像の明るさに応じた発光輝度となるように、重畳されるグラフィクス画像の種類によって各光源の発光輝度を変える
ことを特徴とする表示装置。
【請求項２】
前記第２の種類のグラフィクス画像は、表示画像をみているユーザの注意をひく必要性が前記第１の種類のグラフィクス画像よりも高いグラフィクス画像である
ことを特徴とする請求項１に記載の表示装置。
【請求項３】
前記第２の種類のグラフィクス画像は、表示画像をみているユーザにより操作されるユーザインタフェースを形成するグラフィクス画像である
ことを特徴とする請求項１または２に記載の表示装置。
【請求項４】
前記第１の種類のグラフィクス画像は、セーフティエリアマーカーである
ことを特徴とする請求項１〜３のいずれか１項に記載の表示装置。
【請求項５】
元の画像の上にグラフィクス画像を重畳して表示する場合に、
前記制御手段は、重畳されるグラフィクス画像の種類が第３の種類である場合には、元の画像の明るさに応じた発光輝度と、合成画像の明るさに応じた発光輝度とのあいだの値に、各光源の発光輝度を制御する
ことを特徴とする請求項１〜４のいずれか１項に記載の表示装置。
【請求項６】
前記第３の種類のグラフィクス画像は、オーディオレベルメーターである
ことを特徴とする請求項５に記載の表示装置。
【請求項７】
元の画像の上にグラフィクス画像を重畳して表示する場合に、
前記制御手段は、元の画像の明るさに応じた発光輝度と合成画像の明るさに応じた発光輝度とを、重畳されるグラフィクス画像の種類に応じた重みで合成した値に、各光源の発光輝度を制御する
ことを特徴とする請求項１〜６のいずれか１項に記載の表示装置。
【請求項８】
グラフィクス画像の種類毎に、表示画像をみているユーザの注意をひく必要性の度合いを表すランク情報が予め設定されており、
元の画像の上にグラフィクス画像を重畳して表示する場合に、
前記制御手段は、重畳されるグラフィクス画像の種類に対応するランク情報によって各光源の発光輝度を変える
ことを特徴とする請求項１〜７のいずれか１項に記載の表示装置。
【請求項９】
元の画像の上に前記第１の種類のグラフィクス画像を重畳して表示する場合であって、元の画像が全体的に暗い画像である場合に、
前記制御手段は、前記複数の光源のうち、グラフィクス画像が表示される領域に対応する光源の発光輝度を、元の画像の明るさに応じた発光輝度よりも高い値に制御する
ことを特徴とする請求項１〜８のいずれか１項に記載の表示装置。
【請求項１０】
元の画像の上に前記第１の種類のグラフィクス画像を重畳して表示する場合であって、元の画像が全体的に暗い画像である場合に、
前記制御手段は、前記複数の光源のうち、グラフィクス画像が表示される領域に対応する光源の発光輝度を、元の画像の明るさに応じた発光輝度よりも所定値だけ高い値に制御する
ことを特徴とする請求項１〜９のいずれか１項に記載の表示装置。
【請求項１１】
前記複数の光源のそれぞれに対応する各領域の全てにおいて元の画像の明るさが閾値未満である場合に、元の画像が全体的に暗い画像であると判断し、それ以外の場合に、元の画像が全体的に暗い画像でないと判断する判断手段をさらに有する
ことを特徴とする請求項９または１０に記載の表示装置。
【請求項１２】
個別に発光輝度を変更可能な複数の光源を有する発光部と、
前記発光部からの光を画像データに基づいて変調することで画面上に画像を表示する表示部と、
を有する表示装置の制御方法であって、
前記表示部に画像データを入力する入力ステップと、
前記複数の光源のそれぞれに対応する画面上の領域に表示すべき画像の明るさに応じて、各光源の発光輝度を制御する制御ステップと、
を有し、
元の画像の上にグラフィクス画像を重畳して表示する場合に、
前記制御ステップでは、重畳されるグラフィクス画像の種類が第１の種類である場合には、グラフィクス画像が重畳される前の元の画像の明るさに応じた発光輝度となり、重畳されるグラフィクス画像の種類が第２の種類である場合には、元の画像にグラフィクス画像が合成された合成画像の明るさに応じた発光輝度となるように、重畳されるグラフィクス画像の種類によって各光源の発光輝度を変える
ことを特徴とする表示装置の制御方法。
【請求項１３】
前記第２の種類のグラフィクス画像は、表示画像をみているユーザの注意をひく必要性が前記第１の種類のグラフィクス画像よりも高いグラフィクス画像である
ことを特徴とする請求項１２に記載の表示装置の制御方法。
【請求項１４】
前記第２の種類のグラフィクス画像は、表示画像をみているユーザにより操作されるユーザインタフェースを形成するグラフィクス画像である
ことを特徴とする請求項１２または１３に記載の表示装置の制御方法。
【請求項１５】
前記第１の種類のグラフィクス画像は、セーフティエリアマーカーである
ことを特徴とする請求項１２〜１４のいずれか１項に記載の表示装置の制御方法。
【請求項１６】
元の画像の上にグラフィクス画像を重畳して表示する場合に、
前記制御ステップでは、重畳されるグラフィクス画像の種類が第３の種類である場合には、元の画像の明るさに応じた発光輝度と、合成画像の明るさに応じた発光輝度とのあいだの値に、各光源の発光輝度を制御する
ことを特徴とする請求項１２〜１５のいずれか１項に記載の表示装置の制御方法。
【請求項１７】
前記第３の種類のグラフィクス画像は、オーディオレベルメーターである
ことを特徴とする請求項１６に記載の表示装置の制御方法。
【請求項１８】
元の画像の上にグラフィクス画像を重畳して表示する場合に、
前記制御ステップでは、元の画像の明るさに応じた発光輝度と合成画像の明るさに応じた発光輝度とを、重畳されるグラフィクス画像の種類に応じた重みで合成した値に、各光源の発光輝度を制御する
ことを特徴とする請求項１２〜１７のいずれか１項に記載の表示装置の制御方法。
【請求項１９】
グラフィクス画像の種類毎に、表示画像をみているユーザの注意をひく必要性の度合いを表すランク情報が予め設定されており、
元の画像の上にグラフィクス画像を重畳して表示する場合に、
前記制御ステップでは、重畳されるグラフィクス画像の種類に対応するランク情報によって各光源の発光輝度を変える
ことを特徴とする請求項１２〜１８のいずれか１項に記載の表示装置の制御方法。
【請求項２０】
元の画像の上に前記第１の種類のグラフィクス画像を重畳して表示する場合であって、元の画像が全体的に暗い画像である場合に、
前記制御ステップでは、前記複数の光源のうち、グラフィクス画像が表示される領域に対応する光源の発光輝度を、元の画像の明るさに応じた発光輝度よりも高い値に制御することを特徴とする請求項１２〜１９のいずれか１項に記載の表示装置の制御方法。
【請求項２１】
元の画像の上に前記第１の種類のグラフィクス画像を重畳して表示する場合であって、元の画像が全体的に暗い画像である場合に、
前記制御ステップでは、前記複数の光源のうち、グラフィクス画像が表示される領域に対応する光源の発光輝度を、元の画像の明るさに応じた発光輝度よりも所定値だけ高い値に制御する
ことを特徴とする請求項１２〜２０のいずれか１項に記載の表示装置の制御方法。
【請求項２２】
前記複数の光源のそれぞれに対応する各領域の全てにおいて元の画像の明るさが閾値未満である場合に、元の画像が全体的に暗い画像であると判断し、それ以外の場合に、元の画像が全体的に暗い画像でないと判断する判断ステップをさらに有する
ことを特徴とする請求項２０または２１に記載の表示装置の制御方法。
【請求項２３】
請求項１２〜２２のいずれか１項に記載の表示装置の制御方法の各ステップをコンピュータに実行させることを特徴とするプログラム。
【発明の詳細な説明】
【技術分野】
【０００１】
本発明は、表示装置、表示装置の制御方法、及び、プログラムに関する。
【背景技術】
【０００２】
従来、液晶表示装置に関する技術として、複数の光源を有するバックライトを用い、表示対象の画像の明るさに応じて、各光源の発光輝度と液晶パネルの透過率とを制御する技術が提案されている（特許文献１）。具体的には、特許文献１に記載の技術では、画像の暗い領域で、明るい領域に比べて発光輝度が低くなるように、発光輝度が制御される。このような制御を行うことにより、黒浮きを低減し、表示画像（画面に表示された画像）のコントラストを向上することができる。
【０００３】
上述した従来の技術では、オンスクリーンディスプレイ（ＯＳＤ）のように、元の画像の上にグラフィクス画像を重畳して表示する場合に、例えば、元の画像にグラフィクス画像が合成された合成画像の明るさに応じて各光源の発光輝度が制御される。しかしながら、そのような制御を行うと、合成画像において、グラフィクス画像の明るさが、その周辺の領域における元の画像（周辺画像）の明るさと大きく異なる場合に、表示画像において、元の画像（具体的には周辺画像）の画質が大きく劣化してしまう。例えば、合成画像において、グラフィクス画像が周辺画像に比べて極端に暗い場合に、表示画像において、周辺画像の黒浮きが発生してしまう。
【０００４】
なお、元の画像の上にグラフィクス画像を重畳して表示する場合に、元の画像の明るさに応じて各光源の発光輝度を制御することも考えられる。そのような制御を行えば、元の画像を、画質を劣化させずに表示することができる。しかしながら、合成画像において、グラフィクス画像の明るさが周辺画像の明るさと大きく異なる場合に、表示画像において、グラフィクス画像の画質が大きく劣化してしまう。例えば、合成画像において、周辺画像がグラフィクス画像に比べて極端に暗い場合に、表示画像において、グラフィクス画像が視認しにくくなってしまう。
【０００５】
このような問題に鑑みた従来技術は、例えば、特許文献２に開示されている。特許文献２に開示の技術では、元の画像の明るさに応じて各光源の目標輝度が決定され、合成画像の明るさに応じて目標輝度が補正される。
【０００６】
グラフィクス画像には様々な種類がある。例えば、グラフィクス画像には、グラフィクス画像の画質よりも元の画像の画質を優先して抑制すべき種類（第１の種類）のグラフィクス画像がある。また、グラフィクス画像には、元の画像の画質よりもグラフィクス画像の画質を優先して抑制すべき種類（第２の種類）のグラフィクス画像がある。しかしながら、特許文献２に開示の技術では、グラフィクス画像と元の画像の両方の画質の劣化が抑制されるように発光輝度が制御される。そのため、グラフィクス画像の画質の劣化をある程度抑制し、元の画像の画質の劣化をある程度抑制することはできるものの、グラフィクス画像が上述した第１の種類や第２の種類のグラフィクス画像である場合に、発光輝度を適切に制御することができない。例えば、グラフィクス画像が上述した第１の種類のグラフィクス画像である場合には、グラフィクス画像の画質の劣化が抑制されるように目標輝度が補正されてしまうため、元の画像の画質の劣化が十分に抑制されるように発光輝度を制御することができない。また、グラフィクス画像が上述した第２の種類のグラフィクス画像である場合には、元の画像の画質が維持される程度にしか目標輝度が補正されないため、グラフィクス画像の画質の劣化が十分に抑制されるように発光輝度を制御することができない。
【先行技術文献】
【特許文献】
【０００７】
【特許文献１】特開２００２−９９２５０号公報
【特許文献２】特開２０１１−２０９４０７号公報
【発明の概要】
【発明が解決しようとする課題】
【０００８】
本発明は、元の画像の上にグラフィクス画像を重畳して表示する場合に、各光源の発光輝度を適切な値に制御することのできる技術を提供することを目的とする。
【課題を解決するための手段】
【０００９】
本発明の第１の態様は、
個別に発光輝度を変更可能な複数の光源を有する発光手段と、
前記発光手段からの光を変調することで画面上に画像を表示する表示手段と、
前記複数の光源のそれぞれに対応する画面上の領域に表示すべき画像の明るさに応じて、各光源の発光輝度を制御する制御手段と、
を有する表示装置において、
元の画像の上にグラフィクス画像を重畳して表示する場合に、
前記制御手段は、重畳されるグラフィクス画像の種類が第１の種類である場合には、グラフィクス画像が重畳される前の元の画像の明るさに応じた発光輝度となり、重畳されるグラフィクス画像の種類が第２の種類である場合には、元の画像にグラフィクス画像が合成された合成画像の明るさに応じた発光輝度となるように、重畳されるグラフィクス画像の種類によって各光源の発光輝度を変える
ことを特徴とする表示装置である。
【００１０】
本発明の第２の態様は、
個別に発光輝度を変更可能な複数の光源を有する発光部と、
前記発光部からの光を画像データに基づいて変調することで画面上に画像を表示する表示部と、
を有する表示装置の制御方法であって、
前記表示部に画像データを入力する入力ステップと、
前記複数の光源のそれぞれに対応する画面上の領域に表示すべき画像の明るさに応じて、各光源の発光輝度を制御する制御ステップと、
を有し、
元の画像の上にグラフィクス画像を重畳して表示する場合に、
前記制御ステップでは、重畳されるグラフィクス画像の種類が第１の種類である場合には、グラフィクス画像が重畳される前の元の画像の明るさに応じた発光輝度となり、重畳されるグラフィクス画像の種類が第２の種類である場合には、元の画像にグラフィクス画像が合成された合成画像の明るさに応じた発光輝度となるように、重畳されるグラフィクス画像の種類によって各光源の発光輝度を変える
ことを特徴とする表示装置の制御方法である。
【００１１】
本発明の第３の態様は、上記表示装置の制御方法の各ステップをコンピュータに実行させることを特徴とするプログラムである。
【発明の効果】
【００１２】
本発明によれば、元の画像の上にグラフィクス画像を重畳して表示する場合に、各光源の発光輝度を適切な値に制御することができる。
【図面の簡単な説明】
【００１３】
【図１】実施例１に係る表示装置の機能構成の一例を示すブロック図
【図２】実施例１に係る各種画像の一例を示す図
【図３】実施例１に係る輝度特徴量の一例を示す図
【図４】実施例１に係るランク情報保存テーブルの一例を示す図
【図５】実施例１に係る目標輝度の一例を示す図
【図６】実施例１に係る表示画像の一例を示す図
【図７】実施例２に係る表示装置の機能構成の一例を示すブロック図
【図８】実施例２に係る各種画像の一例を示す図
【図９】実施例２に係る輝度特徴量の一例を示す図
【図１０】実施例２に係る輝度特徴量の差分と領域情報の一例を示す図
【図１１】実施例２に係る目標輝度と効果の一例を示す図
【発明を実施するための形態】
【００１４】
＜実施例１＞
以下、本発明の実施例１に係る表示装置及びその制御方法について説明する。
なお、本実施例では、表示装置が透過型の液晶表示装置である場合の例を説明するが、表示装置は、透過型の液晶表示装置に限らない。表示装置は、独立した光源を有する表示装置であればよい。例えば、表示装置は、反射型の液晶表示装置であってもよい。また、表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１５】
（全体構成）
図１は、本実施例に係る表示装置の機能構成の一例を示すブロック図である。図１に示すように、本実施例に係る表示装置は、グラフィクス画像生成部１０１、合成処理部１０２、発光輝度制御部１１３、ランク情報取得部１０５、ランク情報記憶部１０６、バックライト１０９、伸長率決定部１１０、画像処理部１１１、液晶パネル１１２、などを有する。
【００１６】
バックライト１０９は、個別に発光輝度を変更可能な複数の光源を有する発光部である。光源は、１つ以上の発光部材を有する。発光部材としては、例えば、ＬＥＤ、有機ＥＬ素子、冷陰極管、などを用いることができる。
【００１７】
液晶パネル１１２は、バックライト１０９からの光を変調することで画面上に画像を表示する表示部である。具体的には、液晶パネル１１２は、バックライト１０９からの光を透過することで画面上に画像を表示する。
【００１８】
グラフィクス画像生成部１０１は、ユーザ操作に応じて、元の画像に合成するグラフィクス画像を表すグラフィクス画像データを生成する。具体的には、グラフィクス画像生成部１０１は、元の画像の上にグラフィクス画像を重畳して表示するユーザ操作が行われた場合に、元の画像に合成するグラフィクス画像を表すグラフィクス画像データを生成する。
そして、グラフィクス画像生成部１０１は、生成したグラフィクス画像データと当該グラフィクス画像データによって表されるグラフィクス画像の種類を表す種類情報とを出力する。具体的には、グラフィクス画像データは合成処理部１０２へ出力され、種類情報はランク情報取得部１０５へ出力される。
【００１９】
本実施例では、複数のグラフィクス画像と、複数のグラフィクス画像に対応する複数の種類情報とが予め用意されている。グラフィクス画像生成部１０１は、ユーザ操作に応じ
て、複数のグラフィクス画像のうちの１つを選択し、選択したグラフィクス画像を表すグラフィクス画像データを生成する。そして、グラフィクス画像生成部１０１は、生成したグラフィクス画像データを生成と当該グラフィクス画像データによって表されるグラフィクス画像の種類を表す種類情報とを出力する。
【００２０】
合成処理部１０２では、元の画像の上にグラフィクス画像を重畳して表示する場合に、元の画像とグラフィクス画像を合成することにより合成画像を生成する。具体的には、合成処理部１０２は、元の画像の上にグラフィクス画像を重畳して表示する場合に、元の画像を表す元画像データ（表示装置に入力された入力画像データ）とグラフィクス画像生成部１０１から出力されたグラフィクス画像データとを合成する。それにより、合成画像を表す合成画像データが生成される。
そして、合成処理部１０２は、生成した合成画像データを、発光輝度制御部１１３（具体的には、後述する第２特徴量取得部１０４）と画像処理部１１１に出力する。
【００２１】
ランク情報記憶部１０６には、グラフィクス画像の種類毎に、表示画像（画面に表示された画像）のユーザの注意をひく必要性の度合いを表すランク情報が予め設定（記録）されている。ランク情報記憶部１０６は、ランク情報記憶部１０６に種類情報が入力された場合に、当該種類情報によって表される種類に対応するランク情報を出力する。
なお、ランク情報は、メーカー等によって予め定められた情報であってもよいし、そうでなくてもよい。例えば、ランク情報は、ユーザによって設定、変更可能な情報であってもよい。
【００２２】
ランク情報取得部１０５は、グラフィクス画像生成部１０１から出力された種類情報をランク情報記憶部１０６へ出力し、ランク情報記憶部１０６から出力されたランク情報を取得する。そして、ランク情報取得部１０５は、取得したランク情報を発光輝度制御部１１３（具体的には、後述する特徴量選択部１０７）へ出力する。
【００２３】
発光輝度制御部１１３は、複数の光源のそれぞれに対応する画面上の領域に表示すべき画像の明るさに応じて、各光源の発光輝度を制御する。具体的には、発光輝度制御部１１３は、複数の光源のそれぞれに対応する画面上の領域に表示すべき画像の明るさに応じて、各光源の目標輝度を決定する。そして、発光輝度制御部１１３は、各光源の発光輝度を目標輝度に制御する。また、発光輝度制御部１１３は、各光源の目標輝度を表す情報を伸長率決定部１１０に出力する。
【００２４】
なお、本実施例では、複数の光源に対応する複数の領域により画面の領域が構成されるものとする。具体的には、図３（Ａ）に示すように、画面の領域を分割して得られる６行８列の４８個の分割領域が設定されており、分割領域毎に光源が設けられているものとする。そして、分割領域毎に、その分割領域に表示すべき画像の明るさに応じて、当該分割領域に対応する光源の発光輝度が制御されるものとする。図３（Ａ）において、太実線で示す領域が画面の領域であり、太実線で示す領域を細破線で分割して得られる４８個の領域のそれぞれが分割領域である。
【００２５】
しかし、光源に対応する領域は上記分割領域に限らない。光源に対応する領域として、他の光源に対応する領域に重なる領域が設定されてもよいし、他の光源に対応する領域に接しない領域が設定されてもよい。例えば、光源に対応する領域は、分割領域よりサイズの大きい領域であってもよいし、分割領域よりサイズの小さい領域であってもよい。
また、本実施例では、複数の光源がマトリクス状に配置されているものとしたが、これに限らない。例えば、複数の光源は、行方向や列方向などの一方向にのみ並べて配置されていてもよい。そして、光源の数は、４８個より多くても少なくてもよい。
また、本実施例では、複数の光源に対応する複数の領域として、互いに異なる複数の領
域が設定されているものとしたが、これに限らない。例えば、光源に対応する領域として、他の光源に対応する領域と同じ領域が設定されていてもよい。
【００２６】
伸長率決定部１１０と画像処理部１１１により、合成処理部１０２から出力された合成画像データに対し、光源の発光輝度が変化したことによる画面上の輝度の変化を補償する補償処理が施される。
【００２７】
伸長率決定部１１０は、発光輝度制御部１１３で決定された目標輝度に基づいて、画像データの画素値の伸長率を決定する。本実施例では、光源の発光輝度が変化したことによる画面上の輝度の変化を補償する伸長率が決定される。
なお、伸長率の決定方法は特に限定されない。例えば、伸長率は、目標輝度と伸長率との対応関係を表す関数を用いて算出されてもよいし、当該対応関係を表すテーブルを用いて決定されてもよい。
また、光源に対応する領域毎に伸長率が決定されてもよいし、そうでなくてもよい。画素間で表示特性（画素値の変化に対する、発光部からの光の変調度合いの変化）が異なる場合には、画素毎に伸長率が決定されてもよい。画素値の変化に対して表示画像の輝度が非線形に変化する場合には、各画素値の伸長率が決定されてもよい。画素値の変化に対して表示画像の輝度が非線形に変化する場合に、画素毎に、合成画像データの画素値に対応する伸長率が決定されてもよい。
【００２８】
画像処理部１１１は、合成画像データの画素値を、伸長率決定部１１０で決定された伸長率で補正する。具体的には、画像処理部１１１は、合成画像データの画素値に伸長率を乗算する。そして、画像処理部１１１は、画像処理が施された画像データを液晶パネル１１２へ出力する。
【００２９】
（発光輝度制御部１１３）
以下、発光輝度制御部１１３について詳しく説明する。本実施例に係る発光輝度制御部１１３は、元の画像上にグラフィクス画像を重畳して表示する場合に、重畳されるグラフィクス画像の種類によって各光源の発光輝度を変える
図１に示すように、発光輝度制御部１１３は、第１特徴量取得部１０３、第２特徴量取得部１０４、特徴量選択部１０７、目標輝度決定部１０８、などを有する。
【００３０】
第１特徴量取得部１０３は、複数の光源に対応する複数の領域（分割領域）のそれぞれについて、その領域における元画像データから画像の明るさを表す輝度特徴量（第１特徴量）を取得し、出力する。
なお、本実施例では、領域の輝度特徴量として、当該領域における画像データの画素値の最大値（最大画素値）が取得されるものとするが、輝度特徴量はこれに限らない。輝度特徴量は、画素値の代表値（最大値、最小値、最頻値、中間値、平均値、など）、画素値から得られる輝度値の代表値、画素値のヒストグラム、画素値から得られる輝度値のヒストグラム、などであってもよい。
【００３１】
第２特徴量取得部１０４は、複数の光源に対応する複数の領域（分割領域）のそれぞれについて、その領域における合成画像データ（合成処理部１０２から出力された合成画像データ）から輝度特徴量（第２特徴量）を取得し、出力する。
【００３２】
特徴量選択部１０７は、重畳されるグラフィクス画像の種類に応じて、第１特徴量と第２特徴量のいずれかを選択する。具体的には、特徴量選択部１０７は、ランク情報取得部１０５から出力されたランク情報に応じて、第１特徴量と第２特徴量のいずれかを選択する。例えば、特徴量選択部１０７は、ランク情報の値が所定値よりも低い場合に、第１特徴量を選択し、ランク情報の値が所定値以上である場合に、第２特徴量を選択する。
そして、特徴量選択部１０７は、選択した輝度特徴量を目標輝度決定部１０８に出力する。
なお、入力画像（グラフィクス画像が重畳されていない画像）を表示する場合には、特徴量選択部１０７は第１特徴量を選択し、出力する。
【００３３】
目標輝度決定部１０８は、特徴量選択部１０７から出力された輝度特徴量に応じて、目標輝度を決定する。そして、目標輝度決定部１０８は、各光源の発光輝度を目標輝度に制御する。また、目標輝度決定部１０８は、各光源の目標輝度を表す情報を伸長率決定部１１０に出力する。
【００３４】
（処理フロー）
以下、本実施例に係る表示装置における処理の流れについて詳しく説明する。以下では、元の画像に第１の種類のグラフィクス画像を重畳して表示する場合と、元の画像に第２の種類のグラフィクス画像を重畳して表示する場合とについて説明する。ここでは、元の画像が図２（Ａ）に示す画像であり、第２の種類のグラフィクス画像が図２（Ｂ）に示す画像であり、第１の種類のグラフィクス画像が図２（Ｃ）に示す画像であるものとする。図２（Ｂ）に示すグラフィクス画像は、セーフティエリアマーカーである。図２（Ｃ）に示すグラフィクス画像は、表示画像を見ているユーザにより操作されるユーザインタフェース（ＧＵＩ）を形成するグラフィクス画像（ＧＵＩ画像）である。
【００３５】
セーフティエリアマーカーは、表示画像を見ているユーザの注意をひく必要性がＧＵＩ画像よりも高い。そして、セーフティエリアマーカーが合成された合成画像を表示する場合には、セーフティエリアマーカーの領域よりも元の画像の領域にユーザが注目する可能性が高い。また、ＧＵＩ画像が合成された合成画像を表示する場合には、元の画像の領域よりもＧＵＩ画像の領域にユーザが注目する可能性が高い。そこで、本実施例では、セーフティエリアマーカーが合成された合成画像を表示する場合には、元の画像の画質が劣化しないように発光輝度を制御する。また、ＧＵＩ画像が合成された合成画像を表示する場合には、グラフィクス画像の画質が劣化しないように発光輝度を制御する。
【００３６】
（工程１）
まず、グラフィクス画像生成部１０１が、ユーザ操作に応じて、グラフィクス画像データを生成し、合成処理部１０２に出力する。また、グラフィクス画像生成部１０１は、種類情報をランク情報取得部１０５に出力する。
セーフティエリアマーカーを表示するユーザ操作が行われた場合には、図２（Ｂ）に示すセーフティエリアマーカーを表すグラフィクス画像データが生成され、合成処理部１０２に出力される。また、種類情報「セーフティエリアマーカー」がランク情報取得部１０５に出力される。
一方、ＧＵＩ画像を表示するユーザ操作が行われた場合には、図２（Ｃ）に示すＧＵＩ画像を表すグラフィクス画像データが生成され、合成処理部１０２に出力される。また、種類情報「ＧＵＩ画像」がランク情報取得部１０５に出力される。
【００３７】
（工程２）
次に、合成処理部１０２が、元画像データとグラフィクス画像データを合成することにより、合成画像データを生成する。
セーフティエリアマーカーが合成された合成画像を表示する場合には、図２（Ｄ）に示す合成画像（図２（Ａ）に示す元画像に図２（Ｂ）に示すセーフティエリアマーカーが重畳された合成画像）を表す合成画像データが生成される。
一方、ＧＵＩ画像が合成された合成画像を表示する場合には、図２（Ｅ）に示す合成画像（図２（Ａ）に示す元画像に図２（Ｃ）に示すＧＵＩ画像が重畳された合成画像）を表す合成画像データが生成される。
【００３８】
（工程３）
次に、第１特徴量取得部１０３が、元画像データから分割領域毎の輝度特徴量（第１特徴量）を取得する。本工程で取得された分割領域毎の輝度特徴量の一例を図３（Ａ）に示す。図３（Ａ）は、画素値が８ビット（０〜２５５）の値であり、輝度特徴量が最大画素値である場合の例を示す。また、図３（Ａ）は、元画像データが図２（Ａ）に示す元の画像を表す元画像データであり、図２（Ａ）に示す白色の領域の画素値が２５５である場合の例を示す。
【００３９】
（工程４）
次に、第２特徴量取得部１０４が、合成処理部１０２から出力された合成画像データから輝度特徴量（第２特徴量）を取得する。
セーフティエリアマーカーが合成された合成画像を表示する場合には、図２（Ｄ）に示す合成画像を表す合成画像データから輝度特徴量が取得される。取得された輝度特徴量の一例を図３（Ｂ）に示す。
一方、ＧＵＩ画像が合成された合成画像を表示する場合には、図２（Ｅ）に示す合成画像を表す合成画像データから輝度特徴量が取得される。取得された輝度特徴量の一例を図３（Ｃ）に示す。
なお、図３（Ｂ），３（Ｃ）は、画素値が８ビット（０〜２５５）の値であり、輝度特徴量が最大画素値であり、図２（Ｄ），２（Ｅ）に示す白色の領域の画素値が２５５であった場合の例を示す。
また、図３（Ｂ），３（Ｃ）において、網掛け部分は、グラフィクス画像を合成することにより輝度特徴量が変化した分割領域を示す。
【００４０】
（工程５）
次に、ランク情報取得部１０５が、グラフィクス画像生成部１０１から出力された種類情報をランク情報記憶部１０６に出力し、ランク情報記憶部１０６からランク情報を取得する。そして、ランク情報取得部１０５は、取得したランク情報を特徴量選択部１０７に出力する。
本実施例では、ランク情報記憶部１０６には、図４に示すようなランク情報保存テーブルが予め記憶されている。図４の例では、種類情報「ＧＵＩ画像」のランク情報として「１」が設定されており、種類情報「セーフティエリアマーカー」のランク情報として「０」が設定されている。
そのため、セーフティエリアマーカーが合成された合成画像を表示する場合には、ランク情報取得部１０５は、種類情報「セーフティエリアマーカー」をランク情報記憶部１０６に出力する。そして、ランク情報取得部１０５は、ランク情報「０」をランク情報記憶部１０６から取得し、特徴量選択部１０７に出力する。
一方、ＧＵＩ画像が合成された合成画像を表示する場合には、ランク情報取得部１０５は、種類情報「ＧＵＩ画像」をランク情報記憶部１０６に出力する。そして、ランク情報取得部１０５は、ランク情報「１」をランク情報記憶部１０６から取得し、特徴量選択部１０７に出力する。
【００４１】
（工程６）
次に、特徴量選択部１０７が、ランク情報取得部１０５から出力されたランク情報に応じて、第１特徴量と第２特徴量のいずれかを選択し、目標輝度決定部１０８に出力する。選択した特徴量を取得する。本実施例では、特徴量選択部１０７は、ランク情報取得部１０５からランク情報「０」が出力された場合に第１特徴量を選択し、ランク情報取得部１０５からランク情報「１」が出力された場合に第２特徴量を選択する。
セーフティエリアマーカーが合成された合成画像を表示する場合には、ランク情報取得部１０５からランク情報「０」が出力されるため、第１特徴量が選択される。
一方、ＧＵＩ画像が合成された合成画像を表示する場合には、ランク情報取得部１０５からランク情報「１」が出力されるため、第２特徴量が選択される。
【００４２】
（工程７）
次に、目標輝度決定部１０８が、特徴量選択部１０７から出力された輝度特徴量に応じて、目標輝度を決定する。そして、目標輝度決定部１０８は、各光源の発光輝度を目標輝度に制御する。また、目標輝度決定部１０８は、各光源の目標輝度を表す情報を伸長率決定部１１０に出力する。本実施例では、輝度特徴量が２５５の場合に、発光輝度が１００％（発光輝度の取り得る値の最大値）に制御され、輝度特徴量が０の場合に、発光輝度が０％（発光輝度の取り得る値の最小値）に制御されるものとする。
【００４３】
上述したように、セーフティエリアマーカーが合成された合成画像を表示する場合には、特徴量選択部１０７から第１特徴量が出力される。そのため、目標輝度決定部１０８では、第１特徴量に応じて目標輝度が決定され、発光輝度が制御される。
具体的には、セーフティエリアマーカーが合成された合成画像を表示する場合には、図５（Ａ）に示す目標輝度に発光輝度が制御される。その結果、図６（Ａ）に示す表示画像が表示される。図５（Ａ）において、分割領域に記載の数値は、当該分割領域に対応する光源の目標輝度を示す。図５（Ａ）から、元の画像の明るさに応じた目標輝度が決定されていることがわかる。そして、図６（Ａ）から、表示画像における元の画像の領域の画質がグラフィクス画像の重畳表示による影響を受けないことがわかる。即ち、セーフティエリアマーカーが合成された合成画像を表示する場合に、元の画像の画質が劣化しないように発光輝度が制御されることがわかる。
【００４４】
一方、ＧＵＩ画像が合成された合成画像を表示する場合には、特徴量選択部１０７から第２特徴量が出力される。そのため、目標輝度決定部１０８では、第２特徴量に応じて目標輝度が決定され、発光輝度が制御される。
具体的には、ＧＵＩ画像が合成された合成画像を表示する場合には、図５（Ｂ）に示す目標輝度に発光輝度が制御される。その結果、図６（Ｂ）に示す表示画像が表示される。図５（Ｂ）から、合成画像の明るさに応じた目標輝度が決定されていることがわかる。そして、図６（Ｂ）から、グラフィクス画像の画質が劣化しないように発光輝度が制御されることがわかる。
【００４５】
（工程８）
次に、伸長率決定部１１０が、分割領域毎に、発光輝度制御部１１３で決定された目標輝度に基づいて、画像データの画素値の伸長率を決定する。本実施例では、目標輝度（発光輝度）の取り得る値の最大値が基準輝度として用いられ、目標輝度が低いほど大きい値が伸長率として決定される。具体的には、目標輝度の逆数が伸長率として決定される。
なお、基準輝度は目標輝度（発光輝度）の取り得る値の最大値より小さくてもよい。また、基準輝度は、メーカー等によって予め定められた固定値であってもよいし、そうでなくてもよい。例えば、基準輝度は、ユーザによって設定、変更可能な値であってもよい。
なお、目標輝度が基準輝度よりも高くも低くもなり得る場合には、例えば、目標輝度が基準輝度である場合に伸長率として１を決定すればよい。そして、目標輝度が基準輝度より高い場合に、目標輝度が高いほど小さい値を伸長率として決定し、目標輝度が基準輝度より低い場合に、目標輝度が低いほど大きい値を伸長率として決定すればよい。
なお、光源から他の分割領域への光の漏れを考慮して、光源の発光輝度が変化したことによる画面上の輝度の変化がより精度良く補償されるように、伸長率が決定されてもよい。
【００４６】
（工程９）
次に、画像処理部１１１が、合成画像データの画素値を、伸長率決定部１１０で決定さ
れた伸長率で補正する。そして、画像処理部１１１は、画像処理が施された画像データを液晶パネル１１２へ出力する。それにより、合成画像が画面に表示される。
【００４７】
以上述べたように、本実施例によれば、元の画像の上にグラフィクス画像を重畳して表示する場合に、重畳されるグラフィクス画像の種類によって各光源の発光輝度を変えられる。そして、重畳されるグラフィクス画像の種類が第１の種類である場合には、元の画像の明るさに応じた値に発光輝度が制御され、重畳されるグラフィクス画像の種類が第２の種類である場合には、合成画像の明るさに応じた値に発光輝度が制御される。それにより、元の画像の上にグラフィクス画像を重畳して表示する場合に、各光源の発光輝度を適切な値に制御することができる。
【００４８】
なお、工程１〜９の順番は上述した順番に限らない。例えば、工程３は、工程６よりも前に行われれば、どのタイミングで行われてもよい。工程５は、工程１と工程６の間に行われれば、どのタイミングで行われてもよい。また、複数の工程が並列に行われてもよい。例えば、工程３と工程４が並列に行われてもよい。工程７と工程８，９が並列に行われてもよい。
【００４９】
なお、本実施例では、第１の種類のグラフィクス画像がＧＵＩ画像であり、第２の種類のグラフィクス画像がセーフティエリアマーカーである場合の例を説明したが、第１の種類のグラフィクス画像や第２の種類のグラフィクス画像はこれらに限らない。グラフィクス画像の種類によって各光源の発光輝度が変えられれば、第１の種類や第２の種類はどのような種類であってもよい。但し、表示画像をみているユーザの注意をひく必要性が高いグラフィクス画像を重畳表示する場合には、グラフィクス画像の視認性が高い合成画像の表示が望まれている可能性が高い。また、表示画像をみているユーザの注意をひく必要性が低いグラフィクス画像を重畳表示する場合には、元の画像の領域において画質の劣化が無い合成画像の表示が望まれている可能性が高い。そのため、第２の種類のグラフィクス画像は、表示画像をみているユーザの注意をひく必要性が第１の種類のグラフィクス画像よりも高いグラフィクス画像であることが好ましい。
【００５０】
なお、本実施例では、重畳されるグラフィクス画像の種類に対応するランク情報によって各光源の発光輝度を変えるものとしたが、これに限らない。例えば、ランク情報を用いずに、種類情報によって各光源の発光輝度が変えられてもよい。具体的には、種類情報と、選択する輝度特徴量（第１特徴量と第２特徴量）との対応関係が予め定められていてもよい。そして、種類情報に対応する輝度特徴量を選択し、選択した輝度特徴量に応じて発光輝度が制御されてもよい。
【００５１】
なお、本実施例では、ランク情報の種類が「０」と「１」の２種類である場合の例を説明したが、ランク情報の種類は３種類以上であってもよい。例えば、ランク情報の種類は、「０」、「１」、「２」、「３」、「４」の５種類であってもよい。その場合には、例えば、ランク情報の値が所定値（例えば３）よりも低い場合に、第１特徴量を選択し、ランク情報の値が所定値以上である場合に、第２特徴量を選択すればよい。
【００５２】
なお、本実施例では、第１特徴量と第２特徴量のいずれかを選択し、元の画像の明るさに応じた値、または、合成画像の明るさに応じた値に発光輝度を制御するものとしたが、これに限らない。例えば、重畳されるグラフィクス画像の種類が第３の種類である場合には、元の画像の明るさに応じた発光輝度と、合成画像の明るさに応じた発光輝度とのあいだの値に、各光源の発光輝度が制御されてもよい。このような構成は、例えば、重畳されるグラフィクス画像の種類が第３の種類である場合に、第１特徴量と第２特徴量の両方を選択し、それらの平均値に応じた値に発光輝度を制御することで実現できる。このような構成によれば、元の画像の上に第３の種類のグラフィクス画像を重畳して表示する場合に
も、各光源の発光輝度を適切な値に制御することができる。
第３の種類のグラフィクス画像は、例えば、オーディオレベルメーターである。
【００５３】
また、元の画像の明るさに応じた発光輝度と合成画像の明るさに応じた発光輝度とを、重畳されるグラフィクス画像の種類に応じた重みで合成した値に、各光源の発光輝度が制御されてもよい。例えば、グラフィクス画像の種類毎に、第１特徴量の重みを表す重み情報（０〜１）が予め設定されていてもよい。そして、以下の式１を用いて輝度特徴量Ｃａが算出され、算出された輝度特徴量Ｃに応じて発光輝度が制御されてもよい。式１において、Ｗは、重畳されるグラフィクス画像の種類に対応する重み情報によって表される重みである。Ｃ１は第１特徴量であり、Ｃ２は第２特徴量である。このような構成によれば、元の画像の上にいかなるグラフィクス画像を重畳して表示する場合にも、各光源の発光輝度を適切な値に制御することができる。
Ｃａ＝Ｃ１×Ｗ＋Ｃ２×（１−Ｗ）  ・・・（式１）
【００５４】
＜実施例２＞
以下、本発明の実施例２に係る表示装置及びその制御方法について説明する。
実施例１では、元の画像の上に第１の種類のグラフィクス画像（セーフティエリアマーカー）を重畳して表示する場合に、元の画像の明るさに応じて発光輝度が制御される。そのため、元の画像が全体的に暗い画像（低輝度画像）である場合に、表示画像において、セーフティエリアマーカーの視認性が大きく低下してしまう。
そこで、本実施例では、元の画像の上に第１の種類のグラフィクス画像（セーフティエリアマーカー）を重畳して表示する場合であって、元の画像が低輝度画像である場合に、実施例１と異なる処理を行う。具体的には、複数の光源のうち、グラフィクス画像が表示される領域に対応する光源の発光輝度を、元の画像の明るさに応じた発光輝度よりも高い値に制御する。また、他の光源については、実施例１と同様に、元の画像の明るさに応じて発光輝度を制御する。これにより、元の画像の画質の劣化が抑制され、且つ、セーフティエリアマーカーの視認性の低下が抑制された表示画像を表示することができる。
【００５５】
（全体構成）
図７は、本実施例に係る表示装置の機能構成の一例を示すブロック図である。図７に示すように、本実施例に係る表示装置は、実施例１の表示装置の機能部の他に、画像判断部２０１、領域検出部２０２をさらに有する。また、本実施例に係る表示装置は、実施例１の特徴量選択部１０７の代わりに特徴量補正部２０３を有する。
以下、本実施例に係る表示装置の各機能部について説明する。
なお、実施例１と同じ機能部には同じ符号を付し、その説明は省略する。
【００５６】
画像判断部２０１は、元の画像が低輝度画像であるか否かを判断する。本実施例では、画像判断部２０１は、複数の光源のそれぞれに対応する各領域（分割領域）の全てにおいて元の画像の明るさが閾値未満である場合に、元の画像が低輝度画像であると判断し、それ以外の場合に、元の画像が低輝度画像でないと判断する。具体的には、画像判断部２０１は、第１特徴量取得部１０３から第１特徴量を取得する。そして、画像判断部２０１は、全ての分割領域の第１特徴量が閾値未満である場合に、元の画像が低輝度画像であると判断し、第１特徴量が閾値以上の分割領域が存在する場合に、元の画像が低輝度画像でないと判断する。
なお、本実施例では、第１特徴量の閾値が１６であるものとするが、閾値は１６より大きくても小さくてもよい。
また、明るさや第１特徴量の閾値は、メーカー等によって予め定められた固定値であってもよいし、そうでなくてもよい。例えば、閾値は、ユーザによって設定、変更可能な値
であってもよい。
【００５７】
領域検出部２０２は、複数の光源に対応する複数の領域（分割領域）のうち、グラフィクス画像が表示される領域を検出する。本実施例では、まず、領域検出部２０２は、第１特徴量取得部１０３から第１特徴量を取得し、第２特徴量取得部１０４から第２特徴量を取得する。次に、領域検出部２０２は、分割領域毎に、第１特徴量と第２特徴量の差分を算出する。そして、領域検出部２０２は、差分が０でない分割領域を、グラフィクス画像が表示される領域として検出する。
【００５８】
特徴量補正部２０３は、ランク情報取得部１０５から出力されたランク情報に応じた重みで第１特徴量と第２特徴量を合成することにより合成特徴量を算出し、目標輝度決定部１０８に出力する。具体的には、以下の式２を用いて合成特徴量Ｃｂが算出される。式２において、Ｗは、ランク情報に応じた重み（第２特徴量の重み）である。Ｃ１は第１特徴量であり、Ｃ２は第２特徴量である。ランク情報が「０」の場合にはＷ＝０（０％）とされ、ランク情報が「１」の場合にはＷ＝１（１００％）とされる。
Ｃｂ＝Ｃ１×（１−Ｗ）＋Ｃ２×Ｗ  ・・・（式２）
ランク情報が「０」の場合にはＷ＝０（０％）とされ、ランク情報が「１」の場合にはＷ＝１（１００％）とされる。そのため、セーフティエリアマーカーが合成された合成画像を表示する場合には、合成特徴量として第１特徴量が出力され、ＧＵＩ画像が合成された合成画像を表示する場合には、合成特徴量として第２特徴量が出力される。
なお、目標輝度決定部１０８は、合成特徴量に応じて発光輝度を制御する。
【００５９】
また、特徴量補正部２０３は、画像判断部２０１から判断結果を取得し、領域検出部２０２から検出結果を取得する。そして、特徴量補正部２０３は、ランク情報が「０」であり、且つ、元の画像が低輝度画像である場合に、グラフィクス画像が表示される分割領域についての重みＷを０よりも高い値に補正する。本実施例では、特徴量補正部２０３は、ランク情報が「０」であり、且つ、元の画像が低輝度画像である場合に、グラフィクス画像が表示される分割領域についての重みＷを所定値に補正する。その結果、複数の光源のうち、グラフィクス画像が表示される領域に対応する光源の発光輝度が、元の画像の明るさに応じた発光輝度よりも所定値だけ高い値に制御される。そのため、セーフティエリアマーカーの視認性の低下を抑制することができる。
なお、グラフィクス画像が表示される分割領域以外の分割領域についての重みＷとしては０が使用される。それにより、元の画像の画質の劣化を抑制することができる。
【００６０】
なお、本実施例では、重みＷとして設定する上記所定値が０．０５（５％）であるものとするが、所定値は０．０５より大きくても小さくてもよい。
また、重みＷの補正方法は上記方法に限らない。例えば、重みＷは、元の画像の全体的な明るさが低いほど大きくなるように補正されてもよい。
【００６１】
（処理フロー）
以下、本実施例に係る表示装置における処理の流れについて詳しく説明する。以下では、図８に示すように、全面黒の元の画像に白色のセーフティエリアマーカーを合成した合成画像を表示する場合の例を説明する。
【００６２】
（工程１〜５）
工程１〜５は、実施例１の工程１〜５と同じである。
工程２において図８に示す合成画像を表す合成画像データが生成される。
工程３では、図９（Ａ）に示す輝度特徴量（第１特徴量）が取得される。
工程４では、図９（Ｂ）に示す輝度特徴量（第２特徴量）が取得される。
【００６３】
（工程６）
次に、画像判断部２０１が、元の画像が低輝度画像か否かを判断する。ここでは、図９（Ａ）に示すように全ての第１特徴量が閾値（１６）より小さい値（０）であるため、元の画像が低輝度画像であると判断される。そして、画像判断部２０１は、判断結果を特徴量補正部２０３に出力する。例えば、元の画像が低輝度画像であると判断された場合には、判断結果として１が出力され、元の画像が低輝度画像でないと判断された場合には、判断結果として０が出力される。
なお、工程６は、工程３より後、後述する工程８より前に行われれば、どのタイミングで行われてもよい。
【００６４】
（工程７）
次に、領域検出部２０２が、グラフィクス画像が表示される分割領域を検出する。ここでは、分割領域毎に、図９（Ａ）に示す第１特徴量と、図９（Ｂ）に示す第２特徴量との差分が算出される。図１０（Ａ）に分割領域毎の差分を示す。そして、図１０（Ａ）の網掛け部分において第１特徴量と第２特徴量の差分が０とならないため、図１０（Ａ）の網掛け部分の分割領域が、グラフィクス画像が表示される分割領域として検出される。
そして、領域検出部２０２は、検出結果を特徴量補正部２０３に出力する。例えば、グラフィクス画像が表示される分割領域に対して１、それ以外の分割領域に対して０が割り当てられた領域情報が、検出結果として出力される。図１０（Ａ）の差分から得られる領域情報を図１０（Ｂ）に示す。
なお、工程７は、工程５より後、後述する工程８より前に行われれば、どのタイミングで行われてもよい。例えば、工程７は、工程６よりも前に行われてもよいし、工程６と並列に行われてもよい。
【００６５】
（工程８）
次に、特徴量補正部２０３が、分割領域毎の合成特徴量を算出する。ここでは、ランク情報が「０」であり、元の画像が低輝度画像である。そのため、グラフィクス画像が表示される分割領域については重みＷ＝０．０５を用いて合成特徴量が算出され、それ以外の分割領域については重みＷ＝０を用いて合成特徴量が算出される（第１特徴量が合成特徴量として算出される）。分割領域毎の合成特徴量を図１１（Ａ）に示す。
【００６６】
（工程９〜１１）
工程９〜１１は、実施例１の工程７〜９と同じである。
工程９では、図１１（Ａ）に示す合成特徴量から図１１（Ｂ）に示す目標輝度が決定される。
そして、上記の工程１〜１１を経て、図１１（Ｃ）に示すように、セーフティエリアマーカーを視認可能な表示画像を表示することができる。
【００６７】
以上述べたように、本実施例によれば、元の画像の上に第１の種類のグラフィクス画像を重畳して表示する場合であって、元の画像が全体的に暗い画像である場合に、実施例１と異なる処理が行われる。具体的には、そのような場合に、グラフィクス画像が表示される領域に対応する光源の発光輝度が、元の画像の明るさに応じた発光輝度よりも高い値に制御される。それにより、元の画像の上に第１の種類のグラフィクス画像を重畳して表示する場合であって、元の画像が全体的に暗い画像である場合にも、各光源の発光輝度を適切な値に制御することができる。具体的には、そのような場合に、元の画像の画質の劣化が抑制され、且つ、セーフティエリアマーカーの視認性の低下が抑制された表示画像が表示されるように発光輝度を制御することができる。
【００６８】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００６９】
１０３：第１特徴量取得部  １０４：第２特徴量取得部  １０７：特徴量選択部  １０８：目標輝度決定部  １０９：バックライト  １１２：液晶パネル  １１３：発光輝度制御部  ２０３：特徴量補正部
【図１】
2015031873.tif 000003
【図２】
2015031873.tif 000004
【図３】
2015031873.tif 000005
【図４】
2015031873.tif 000006
【図５】
2015031873.tif 000007
【図６】
2015031873.tif 000008
【図７】
2015031873.tif 000009
【図８】
2015031873.tif 000010
【図９】
2015031873.tif 000011
【図１０】
2015031873.tif 000012
【図１１】
2015031873.tif 000013